【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
システムであって、前記システムは、
プログラム命令を記憶するように構成された非一過性コンピュータ読み取り可能な記憶媒体と、
前記プログラム命令を実行するようにプログラムされたプロセッサと
を備え、
前記プログラム命令は、
１つ以上のデータソースから、複数の子宮筋腫データ記録を集約することと、
前記複数の子宮筋腫データ記録から、子宮筋腫データ記録アイテムを抽出することと、
双方向ユーザインターフェースを電子ディスプレイ上にレンダリングするためのユーザインターフェースデータを生成することと
を前記プロセッサに行わせ、
前記双方向ユーザインターフェースは、
双方向子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表現は、前記子宮筋腫データ記録アイテムに関連する情報を提供するように構成されている、システム。
【請求項２】
前記プロセッサは、前記子宮筋腫データ記録アイテムの前記視覚的表現を用いて前記双方向子宮筋腫マップを自動的に取り込むようにさらにプログラムされている、請求項１に記載のシステム。
【請求項３】
前記マーカの前記それぞれの子宮筋腫場所は、患者の子宮内の子宮筋腫場所のグラフィカル表現を含む、請求項１または２に記載のシステム。
【請求項４】
前記プロセッサは、
ユーザからの入力、
ユーザデータソース、または
第三者データソース
のうちの少なくとも１つから複数の子宮筋腫データ記録を集約するようにプログラムされている、請求項１〜３のうちのいずれか１項に記載のシステム。
【請求項５】
前記子宮筋腫データ記録アイテムは、子宮筋腫場所、子宮筋腫サイズ、子宮筋腫治療ステータス、子宮筋腫の数、および子宮筋腫治療順序のうちの少なくとも１つを含む、請求項１〜４のうちのいずれか１項に記載のシステム。
【請求項６】
前記ユーザからの前記入力は、
ユーザ子宮筋腫データ記録アイテム、または
治療データ記録アイテム
のうちの少なくとも１つを含む、請求項４に記載のシステム。
【請求項７】
前記プロセッサは、前記ユーザ入力に応答して、
前記１つ以上のデータソースを前記ユーザ子宮筋腫データ記録アイテムで更新することと、
前記双方向ユーザインターフェースが前記ユーザ子宮筋腫データ記録アイテムのうちの少なくとも１つの指示を含むように、前記ユーザインターフェースデータを更新することと
を行うようにプログラムされている、請求項６に記載のシステム。
【請求項８】
前記プロセッサは、前記ユーザが前記子宮筋腫データ記録アイテムの前記視覚的表現を用いて前記双方向子宮筋腫マップを手動で取り込むことを可能にするようにプログラムされている、請求項１〜７のうちの１項に記載のシステム。
【請求項９】
前記プロセッサは、ユーザ入力を受信するようにプログラムされ、前記ユーザ入力は、
エクスポートコンテンツ、
エクスポートフォーマット、または
エクスポート場所
のうちの少なくとも１つを含むエクスポート基準を含む、請求項１〜８のうちのいずれか１項に記載のシステム。
【請求項１０】
前記プロセッサは、前記ユーザ入力に応答して、
前記子宮筋腫データ記録から、前記エクスポートコンテンツに関連する子宮筋腫データエクスポートアイテムを抽出することと、
前記エクスポートフォーマットおよび前記子宮筋腫データエクスポートアイテムを含むエクスポートドキュメントを生成することと、
前記エクスポートドキュメントを前記エクスポート場所に記憶することと、
前記双方向ユーザインターフェースが前記エクスポート要求の指示を含むように、前記ユーザインターフェースデータを更新することと
を行うようにプログラムされている、請求項９に記載のシステム。
【請求項１１】
前記視覚的表現は、子宮筋腫アイコンを含み、または前記双方向ユーザインターフェースは、凡例をさらに含む、請求項１〜１０のうちのいずれか１項に記載のシステム。
【請求項１２】
前記視覚的表現は、警告をユーザに示すように構成されている、請求項１１に記載のシステム。
【請求項１３】
前記プロセッサは、
撮像モダリティからの情報を使用して、子宮筋腫を識別することと、
子宮筋腫データを前記撮像モダリティから受信することと、
診査報告を生成することと
を行うようにプログラムされている、請求項１〜１２のうちのいずれか１項に記載のシステム。
【請求項１４】
前記プロセッサは、
子宮筋腫データを１つ以上のデータソースから受信することと、
双方向ユーザインターフェースを電子ディスプレイ上にレンダリングするためのユーザインターフェースデータを生成することであって、前記双方向ユーザインターフェースは、
双方向子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表は、前記子宮筋腫データ記録アイテムに関連する情報を提供するように構成されている、ことと、
治療データを治療デバイスから受信することと、
前記ユーザインターフェースを治療データで更新することと
を行うようにプログラムされている、請求項１〜１３のうちのいずれか１項に記載のシステム。
【請求項１５】
前記プロセッサは、治療報告を生成するようにさらにプログラムされている、請求項１４に記載のシステム。
【手続補正２】
【補正対象書類名】明細書
【補正対象項目名】００２６
【補正方法】変更
【補正の内容】
【００２６】
種々の実施形態では、コンピュータ読み取り可能な記憶媒体を備えている、コンピュータプログラム製品が、開示され、コンピュータ読み取り可能な記憶媒体は、それとともに具現化されるプログラム命令を有し、プログラム命令は、１つ以上のプロセッサによって、１つ以上のプロセッサに、上記および／または下記に説明される実施形態の１つ以上の側面（添付の請求項の１つ以上の側面を含む）を含む動作を実施させるように実行可能である。
本願明細書は、例えば、以下の項目も提供する。
（項目１）
システムであって、前記システムは、
プログラム命令を記憶するように構成された非一過性コンピュータ読み取り可能な記憶媒体と、
前記プログラム命令を実行するようにプログラムされたプロセッサと、
を備え、
前記プログラム命令は、
１つ以上のデータソースから、複数の子宮筋腫データ記録を集約することと、
前記複数の子宮筋腫データ記録から、子宮筋腫データ記録アイテムを抽出することと、
双方向ユーザインターフェースを電子ディスプレイ上にレンダリングするためのユーザインターフェースデータを生成することと
を前記プロセッサに行わせ、
前記双方向ユーザインターフェースは、
双方向子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表現は、前記子宮筋腫データ記録アイテムに関連する情報を提供するように構成されている、システム。
（項目２）
前記プロセッサは、
ユーザからの入力、
ユーザデータソース、または
第三者データソース
のうちの少なくとも１つから複数の子宮筋腫データ記録を集約するようにプログラムされている、項目１に記載のシステム。
（項目３）
前記子宮筋腫データ記録アイテムは、子宮筋腫場所を含む、項目１に記載のシステム。
（項目４）
前記子宮筋腫データ記録アイテムは、子宮筋腫サイズを含む、項目１に記載のシステム。
（項目５）
前記子宮筋腫サイズは、
小、
中、または
大
のうちの１つを含む、項目４に記載のシステム。
（項目６）
前記子宮筋腫データ記録アイテムは、子宮筋腫治療ステータスを含む、項目１に記載のシステム。
（項目７）
前記子宮筋腫データ記録アイテムは、子宮筋腫治療順序を含む、項目１に記載のシステム。
（項目８）
前記プロセッサは、ユーザ入力を受信するようにさらにプログラムされている、項目１に記載のシステム。
（項目９）
前記ユーザ入力は、
ユーザ子宮筋腫データ記録アイテム、または
治療データ記録アイテム
のうちの少なくとも１つを含む、項目８に記載のシステム。
（項目１０）
前記プロセッサは、前記ユーザ入力に応答して、
前記１つ以上のデータソースを前記ユーザ子宮筋腫データ記録アイテムで更新することと、
前記双方向ユーザインターフェースが前記ユーザ子宮筋腫データ記録アイテムのうちの少なくとも１つの指示を含むように、前記ユーザインターフェースデータを更新することと
を行うようにプログラムされている、項目９に記載のシステム。
（項目１１）
前記ユーザ入力は、
エクスポートコンテンツ、
エクスポートフォーマット、または
エクスポート場所
のうちの少なくとも１つを含むエクスポート基準を含む、項目８に記載のシステム。
（項目１２）
前記プロセッサは、前記ユーザ入力に応答して、
前記子宮筋腫データ記録から、前記エクスポートコンテンツに関連する子宮筋腫データエクスポートアイテムを抽出することと、
前記エクスポートフォーマットおよび前記子宮筋腫データエクスポートアイテムを含むエクスポートドキュメントを生成することと、
前記エクスポートドキュメントを前記エクスポート場所に記憶することと、
前記双方向ユーザインターフェースが前記エクスポート要求の指示を含むように、前記ユーザインターフェースデータを更新することと
を行うようにプログラムされている、項目１１に記載のシステム。
（項目１３）
前記双方向ユーザインターフェースは、凡例をさらに含む、項目１に記載のシステム。
（項目１４）
前記視覚的表現は、子宮筋腫アイコンを含む、項目１に記載のシステム。
（項目１５）
前記視覚的表現は、警告をユーザに示すように構成されている、項目１４に記載のシステム。
（項目１６）
前記プロセッサは、
撮像モダリティからの情報を使用して、子宮筋腫を識別することと、
子宮筋腫データを前記撮像モダリティから受信することと、
診査報告を生成することと
を行うようにプログラムされている、項目１に記載のシステム。
（項目１７）
前記プロセッサは、
子宮筋腫データを１つ以上のデータソースから受信することと、
双方向ユーザインターフェースを電子ディスプレイ上にレンダリングするためのユーザインターフェースデータを生成することであって、前記双方向ユーザインターフェースは、
双方向子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表は、前記子宮筋腫データ記録アイテムに関連する情報を提供するように構成されている、ことと、
治療データを治療デバイスから受信することと、
前記ユーザインターフェースを治療データで更新することと
を行うようにプログラムされている、項目１に記載のシステム。
（項目１８）
前記プログラムは、治療報告を生成するようにさらにプログラムされている、項目１７に記載のシステム。
（項目１９）
システムであって、前記システムは、
プログラム命令を記憶するように構成された非一過性コンピュータ読み取り可能な記憶媒体と、
前記プログラム命令を実行するようにプログラムされたプロセッサと
を備え、
前記プログラム命令は、
撮像モダリティからの情報を使用して、子宮筋腫を識別することと、
子宮筋腫データを前記撮像モダリティから受信することと、
双方向ユーザインターフェースを電子ディスプレイ上にレンダリングするためのユーザインターフェースデータを生成することと
を前記プロセッサに行わせ、
前記双方向ユーザインターフェースは、
双方向子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表現は、前記子宮筋腫データ記録アイテムに関連する情報を提供するように構成されている、システム。
（項目２０）
前記撮像モダリティをさらに備え、前記撮像モダリティは、超音波変換器を備えている、項目１９に記載のシステム。
（項目２１）
前記プログラム命令は、診査報告を生成することをプロセッサにさらに行わせる、項目１９に記載のシステム。
（項目２２）
システムであって、前記システムは、
プログラム命令を記憶するように構成された非一過性コンピュータ読み取り可能な記憶媒体と、
前記プログラム命令を実行するようにプログラムされたプロセッサと
を備え、
前記プログラム命令は、
子宮筋腫データを１つ以上のデータソースから受信することと、
双方向ユーザインターフェースを電子ディスプレイ上にレンダリングするためのユーザインターフェースデータを生成することであって、前記双方向ユーザインターフェースは、
双方向子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表現は、前記子宮筋腫データ記録アイテムに関連する情報を提供するように構成されている、ことと、
治療データを治療デバイスから受信することと、
前記ユーザインターフェースを治療データで更新することと
をプロセッサに行わせる、システム。
（項目２３）
前記プログラムは、治療報告を生成するようにさらにプログラムされている、項目２２に記載のシステム。
（項目２４）
撮像モダリティをさらに備え、前記撮像モダリティは、超音波変換器を備えている、項目２２に記載のシステム。
（項目２５）
アブレーションデバイスをさらに備え、前記アブレーションデバイスは、高周波生成器を備えている、項目２２に記載のシステム。
（項目２６）
子宮筋腫を治療するためのシステムを提供する方法であって、前記方法は、
プログラム命令を実行するようにプログラムされたプロセッサを備えているシステムを提供することであって、前記プログラム命令は、
子宮筋腫データを受信することと、
双方向ユーザインターフェースを電子ディスプレイ上にレンダリングするためのユーザインターフェースデータを生成することと、
治療データを治療デバイスから受信することと、
前記ユーザインターフェースを治療データで更新することと
をプロセッサに行わせる、ことと、
子宮筋腫データを入力するようにユーザに命令することと
を含む、方法。
（項目２７）
子宮筋腫治療順序を決定するようにユーザに命令することをさらに含む、項目２６に記載の方法。
（項目２８）
前記双方向ユーザインターフェースは、
双方向子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表現は、前記子宮筋腫データ記録アイテムに関連する情報を提供するように構成されている、項目２６に記載の方法。
（項目２９）
システムであって、前記システムは、
プログラム命令を記憶するように構成された非一過性コンピュータ読み取り可能な記憶媒体と、
情報を伝送するように構成された撮像モダリティと、
前記プログラム命令を実行するようにプログラムされたプロセッサと
を備え、
前記プログラム命令は、
前記情報を前記撮像モダリティから受信することと、
双方向ユーザインターフェースを電子ディスプレイ上にレンダリングするためのユーザインターフェースデータを生成することと
を前記プロセッサに行わせ、
前記双方向ユーザインターフェースは、
子宮筋腫マップと、
子宮筋腫データ記録アイテムの視覚的表現と
を含み、
前記視覚的表現は、前記子宮筋腫データアイテムに関連付けられたそれぞれの子宮筋腫場所における前記双方向子宮筋腫マップ上のマーカを備え、前記視覚的表現は、前記子宮筋腫データ記録アイテムに関連する知識を提供するように構成されている、システム。
（項目３０）
前記情報は、前記撮像モダリティの位置、前記撮像モダリティの向き、挿入深度、挿入角度、子宮筋腫場所、および子宮筋腫サイズのうちの少なくとも１つを含む、項目２９に記載のシステム。
（項目３１）
前記撮像モダリティは、前記撮像モダリティの位置および向きのうちの少なくとも１つを決定するように構成されたセンサを備えている、項目２９に記載のシステム。
（項目３２）
前記情報は、前記撮像モダリティの位置および向きのうちの少なくとも１つを表す情報を備えている、項目３１に記載のシステム。
（項目３３）
前記センサは、光学追跡システム、慣性センサ、および視覚的マーカのうちの少なくとも１つを含む、項目３１に記載のシステム。
（項目３４）
前記撮像モダリティは、前記撮像モダリティの位置および向きのうちの少なくとも１つを表す情報を含む情報を発信するように構成された整列マーカをさらに備えている、項目３１に記載のシステム。
（項目３５）
前記整列マーカによって発信される信号を受信するように構成された受信機をさらに備えている、項目３４に記載のシステム。
（項目３６）
前記整列マーカは、電磁放射源を備えている、項目３４に記載のシステム。
（項目３７）
アブレーションツールをさらに備えている、項目２９に記載のシステム。
（項目３８）
前記アブレーションツールは、前記撮像モダリティに結合されている、項目３７に記載のシステム。
（項目３９）
少なくとも部分的に、前記撮像モダリティの位置、向き、および運動のうちの少なくとも１つを決定するように構成された追跡システムをさらに備えている、項目２９に記載のシステム。
（項目４０）
前記プロセッサは、前記撮像モダリティから受信された情報を使用して、前記双方向ユーザインターフェースを生成するように構成されている、項目２９に記載のシステム。
（項目４１）
前記視覚的表現は、前記双方向子宮筋腫マップをオーバーレイするように構成されている、項目２９に記載のシステム。